(57)【特許請求の範囲】
【請求項１】
複数のキーが設けられた携帯端末であって、
前記複数のキーに含まれるいずれかのキーにユーザが接触したことを検出する接触検出部と、
前記いずれかのキーをユーザが押下したことを検出する押下検出部と、
前記いずれかのキーをユーザが押下したことを前記押下検出部が検出した際に、前記いずれかのキーにユーザが接触している時間である接触時間が所定の判定時間以上である場合に、前記いずれかのキーに割り付けられた第１機能を実行し、前記接触時間が前記所定の判定時間未満である場合に、前記いずれかのキーに割り付けられた第２機能を実行する機能実行部と、
前記接触時間が前記所定の判定時間以上である場合に、前記第１機能に係る説明を出力する出力部とを備え、
前記出力部は、前記特定のキーの前記接触時間が所定の判定時間以上となった後に、前記いずれかのキー以外の他のキーにユーザが接触したことを前記接触検出部が検出した場合に、前記他のキーの前記接触時間が所定の判定時間未満であっても、前記他のキーに割り付けられた前記第１機能に係る説明を出力することを特徴とする携帯端末。
【請求項２】
前記出力部は、前記接触時間が前記所定の判定時間未満である場合に、前記いずれかのキーに割り付けられた前記第２機能に係る説明を出力することを特徴とする請求項１に記載の携帯端末。
【請求項３】
複数の前記キーのそれぞれには、互いに異なる前記第１機能が割り付けられており、
前記出力部は、複数の前記キーに含まれるいずれかの前記キーの前記接触時間が前記所定の判定時間以上である場合に、前記いずれかのキーにそれぞれ割り付けられた複数の前記第１機能に係る説明を出力することを特徴とする請求項１に記載の携帯端末。
【請求項４】
複数の前記キーのそれぞれには、互いに異なる前記第２機能が割り付けられており、
前記出力部は、複数の前記キーに含まれるいずれかの前記キーの前記接触時間が前記所定の判定時間未満である場合に、前記いずれかのキーにそれぞれ割り付けられた複数の前記第２機能に係る説明を出力することを特徴とする請求項１に記載の携帯端末。
【請求項５】
複数のキーが設けられた携帯端末に用いられるプログラムであって、コンピュータに、
前記複数のキーに含まれるいずれかのキーにユーザが接触したことを検出するステップと、
前記いずれかのキーをユーザが押下したことを検出するステップと、
前記いずれかのキーをユーザが押下したことが検出された際に、前記いずれかのキーにユーザが接触している時間である接触時間が所定の判定時間以上である場合に、前記いずれかのキーに割り付けられた第１機能を実行し、前記接触時間が前記所定の判定時間未満である場合に、前記いずれかのキーに割り付けられた第２機能を実行するステップと、
前記接触時間が前記所定の判定時間以上である場合に、前記第１機能に係る説明を出力するステップとを実行させ、
前記出力するステップでは、前記特定のキーの前記接触時間が所定の判定時間以上となった後に、前記いずれかのキー以外の他のキーにユーザが接触したことを検出した場合に、前記他のキーの前記接触時間が所定の判定時間未満であっても、前記他のキーに割り付けられた前記第１機能に係る説明を出力させることを特徴とするプログラム。
【発明の詳細な説明】
【技術分野】
【０００１】
本発明は、複数のキーが設けられ、キーに複数の機能が割り付けられた携帯端末、及び、この携帯端末に用いられるプログラムに関する。
【背景技術】
【０００２】
従来、携帯電話やＰＤＡなどのような携帯端末として、携帯端末が有する機能を呼び出すための機能キーが設けられたものが広く知られている。また、携帯端末の携帯性を重視すると、多数の機能キーを携帯端末に設けることが好ましくないため、一つの機能キーに複数の機能が割り付けられた携帯端末も知られている。
【０００３】
例えば、このような携帯端末では、キーの押下時間が所定の判定時間よりも短い場合に（「通常押し」の場合に）、キーに対応する文字を入力する機能がキーに割り付けられ、キーの押下時間が所定の判定時間よりも長い場合に（「長押し」の場合に）、メールの編集画面を呼び出す機能がキーに割り付けられる（例えば、特許文献１）。
【０００４】
また、アドレス帳を呼び出す機能、着信音の変更画面を呼び出す機能、ゲームを起動する機能及びスケジュールの編集画面を呼び出す機能などが各キーに割り付けられた携帯端末も知られている（例えば、特許文献２）。
【０００５】
一方、ユーザの利便性を向上させるために、キーが押下された際に実行される機能に係る説明（プレビュー）を表示領域に表示する携帯端末も知られている。
【０００６】
具体的には、このような携帯端末は、ユーザがキーを押下したことに加えて、ユーザがキーに接触したことを検出し、ユーザがキーに接触したことを検出した際に、機能に係る説明を表示領域に表示する（例えば、特許文献３）
【特許文献１】特開2003-60741号公報
【特許文献２】特開2003-298716号公報
【特許文献３】特開2002-149308号公報
【発明の開示】
【発明が解決しようとする課題】
【０００７】
しかしながら、一般的に、携帯端末では、携帯端末の携帯性を重視して、キーのサイズが小さい。
【０００８】
従って、「通常押し」と「長押し」とに応じて互いに異なる機能を実行する携帯端末では、「通常押し」と「長押し」とにそれぞれ対応する機能に係る説明をキーに印字することが困難である。例えば、「通常押し」に対応する機能に係る説明がキーに印字されていたとしても、「長押し」に対応する機能に係る説明がキーに印字されていない場合には、ユーザは、「長押し」に対応する機能を暗記していなければならなかった。
【０００９】
一方、ユーザがキーに接触したことを検出した際に機能に係る説明を表示領域に表示する携帯端末では、キーに単一の機能（「通常押し」に対応する機能）のみが割り付けられていることが前提となっている。すなわち、このような携帯端末では、機能に係る説明の表示する契機がキーへの接触であるため、複数の機能を一のキーに割り付けても、表示領域に表示された説明が「長押し」に対応する機能に係る説明であることをユーザに把握させることが困難である。
【００１０】
そこで、本発明は、上述した課題を解決するためになされたものであり、キーのサイズに制約があり、複数の機能がキーに割り付けられている場合であっても、ユーザの利便性を向上させることが可能な携帯端末、及び、この携帯端末に用いられるプログラムを提供することを目的とする。
【課題を解決するための手段】
【００１１】
本発明の第１の特徴は、複数のキー（キー３０）が設けられた携帯端末が、前記キーにユーザが接触したことを検出する接触検出部（タッチパッド１０ｂ、接触検出インターフェース１１）と、前記キーをユーザが押下したことを検出する押下検出部（押下検出インターフェース１２）と、前記キーをユーザが押下したことを前記押下検出部が検出した際に、前記キーにユーザが接触している時間である接触時間が所定の判定時間以上である場合に、前記キーに割り付けられた第１機能を実行し、前記接触時間が前記所定の判定時間未満である場合に、前記キーに割り付けられた第２機能を実行する機能実行部（制御部１４）と、前記接触時間が前記所定の判定時間以上である場合に、前記第１機能に係る説明を出力する出力部（表示制御部１５）とを備えることを要旨とする。
【００１２】
かかる特徴によれば、出力部が、接触時間が所定の判定時間以上である場合に、接触時間が所定の判定時間以上であるときにキーが押下されると実行される第１機能に係る説明を出力する。すなわち、携帯端末は、第１機能に係る説明の出力をキーの接触時間に対応させることによって、出力部によって出力される説明が第１機能に係る説明であることをユーザに容易に把握させることができる。
【００１３】
従って、携帯端末は、キーのサイズに制約があり、複数の機能がキーに割り付けられている場合であっても、ユーザの利便性を向上させることができる。
【００１４】
本発明の第２の特徴は、本発明の第１の特徴において、前記出力部が、前記キーである一のキーの前記接触時間が所定の判定時間以上となった後に、前記キーである他のキーにユーザが接触したことを前記接触検出部が検出した場合に、前記他のキーの前記接触時間が所定の判定時間未満であっても、前記他のキーに割り付けられた前記第１機能に係る説明を出力することを要旨とする。
【００１５】
本発明の第３の特徴は、本発明の第１の特徴において、前記出力部が、前記接触時間が前記所定の判定時間未満である場合に、前記キーに割り付けられた前記第２機能に係る説明を出力することを要旨とする。
【００１６】
本発明の第４の特徴は、本発明の第１の特徴において、複数の前記キーには、互いに異なる前記第１機能がそれぞれ割り付けられており、前記出力部が、複数の前記キーに含まれるいずれかの前記キーの前記接触時間が前記所定の判定時間以上である場合に、前記キーにそれぞれ割り付けられた複数の前記第１機能に係る説明を出力することを要旨とする。
【００１７】
本発明の第５の特徴は、本発明の第１の特徴において、複数の前記キーには、互いに異なる前記第２機能がそれぞれ割り付けられており、前記出力部が、複数の前記キーに含まれるいずれかの前記キーの前記接触時間が前記所定の判定時間未満である場合に、前記キーにそれぞれ割り付けられた複数の前記第２機能に係る説明を出力することを要旨とする。
【００１８】
本発明の第６の特徴は、複数のキーが設けられた携帯端末に用いられるプログラムが、前記キーにユーザが接触したことを検出するステップと、前記キーをユーザが押下したことを検出するステップと、前記キーをユーザが押下したことが検出された際に、前記キーにユーザが接触している時間である接触時間が所定の判定時間以上である場合に、前記キーに割り付けられた第１機能を実行し、前記接触時間が前記所定の判定時間未満である場合に、前記キーに割り付けられた第２機能を実行するステップと、前記接触時間が前記所定の判定時間以上である場合に、前記第１機能に係る説明を出力するステップとをコンピュータに実行させることを要旨とする。
【発明の効果】
【００１９】
本発明によれば、キーのサイズに制約があり、複数の機能がキーに割り付けられている場合であっても、ユーザの利便性を向上させることが可能な携帯端末、及び、この携帯端末に用いられるプログラムを提供することができる。
【発明を実施するための最良の形態】
【００２０】
以下において、本発明の実施形態に係る携帯端末について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００２１】
［第１実施形態］
（携帯端末の構成）
以下において、本発明の第１実施形態に係る携帯端末の構成について、図面を参照しながら説明する。図１は、本発明の第１実施形態に係る携帯端末１００を示す外観図である。
【００２２】
図１に示すように、携帯端末１００は、本体部１０と表示部２０とを有しており、本体部１０には、複数のキー３０が設けられている。なお、キー３０とは、「０」〜「９」、「＊」、「＃」及び「クリア」などのキーやソフトキーである。
【００２３】
本体部１０は、後述する制御基板１０ｃを有しており、押下されたキー３０に割り付けられた機能を実行する。なお、機能とは、文字を入力する機能、短縮ダイヤル機能、各種画面を呼び出す機能、各種アプリケーションを起動する機能、各種コンテンツを出力する機能などである。
【００２４】
表示部２０には、各機能に係る説明などが表示される。また、表示部２０には、機能によって呼び出された各種画面、機能によって起動された各種アプリケーションなどが表示される。
【００２５】
図２は、本発明の第１実施形態に係る携帯端末１００を示す分解図である。図２に示すように、本体部１０は、キー配置面１０ａと、タッチパッド１０ｂと、制御基板１０ｃとを有する。
【００２６】
キー配置面１０ａは、キー３０を保持するシート状の部材であり、キー３０が嵌め込まれる複数の孔（不図示）を有している。
【００２７】
タッチパッド１０ｂは、各キー３０にユーザが接触したことを検出する。なお、タッチパッド１０ｂは、ユーザが継続してキー３０に接触していることも検出可能である。
【００２８】
制御基板１０ｃは、タッチパッド１０ｂによる検出結果に応じて携帯端末１００を制御する。なお、制御基板１０ｃの詳細については後述する（図３を参照）。
【００２９】
（制御基板の構成）
以下において、上述した制御基板１０ｃの構成について、図面を参照しながら説明する。図３は、本発明の第１実施形態に係る制御基板１０ｃを示すブロック図である。
【００３０】
図３に示すように、制御基板１０ｃは、接触検出インターフェース１１と、押下検出インターフェース１２と、キー割付情報記憶部１３と、制御部１４と、表示制御部１５とを有する。
【００３１】
接触検出インターフェース１１は、タッチパッド１０ｂに接続されており、各キー３０にユーザが接触したことを示す信号をタッチパッド１０ｂから取得する。なお、接触検出インターフェース１１は、ユーザが継続してキー３０に接触している場合には、タッチパッド１０ｂから継続して信号を取得する。
【００３２】
押下検出インターフェース１２は、各キー３０に接続されており、各キー３０をユーザが押下したことを示す信号を取得する。
【００３３】
キー割付情報記憶部１３は、キー３０の種類と各キー３０に割り付けられた機能とを対応付ける情報をキー割付情報として記憶する。また、各キー３０には、複数の機能が割り付けられている。なお、キー割付情報の詳細については後述する（図４を参照）。
【００３４】
制御部１４は、ユーザがキー３０に接触している時間（以下、接触時間）及びユーザが押下したキー３０の種類に応じて、キー３０に割り付けられた機能を実行する。具体的には、制御部１４は、ユーザがキー３０を押下した際に、そのキー３０の接触時間が所定の判定時間以上である場合には、そのキー３０に割り付けられた機能（後述する第１機能）を実行する。一方、制御部１４は、ユーザがキー３０を押下した際に、そのキー３０の接触時間が所定の判定時間未満である場合には、そのキー３０に割り付けられた機能（後述する第２機能）を実行する。
【００３５】
また、制御部１４は、キー３０の接触時間及びユーザが押下したキー３０の種類に応じて、キー３０に割り付けられた機能に係る説明の表示を表示制御部１５に指示する。具体的には、制御部１４は、キー３０の接触時間が所定の判定時間以上である場合には、そのキー３０に割り付けられた機能（後述する第１機能）に係る説明の表示を表示制御部１５に指示する。一方、制御部１４は、キー３０の接触時間が所定の判定時間未満である場合には、そのキー３０に割り付けられた機能（後述する第２機能）に係る説明の表示を表示制御部１５に指示する。
【００３６】
表示制御部１５は、制御部１４の指示に応じて、キー３０に割り付けられた機能に係る説明を表示部２０に表示する。なお、機能に係る説明とは、機能の種類を示す文字列やアイコンなどである。
【００３７】
（キー割付情報）
以下において、上述したキー割付情報について、図面を参照しながら説明する。図４は、本発明の第１実施形態に係るキー割付情報を示す図である。
【００３８】
図４に示すように、キー割付情報とは、キー３０の種類と各キー３０に割り付けられた機能とを対応付ける情報である。また、各キー３０には、キー３０が押下されたときの接触時間が所定の判定時間以上である場合に実行される第１機能と、キー３０が押下されたときの接触時間が所定の判定時間未満である場合に実行される第２機能とが割り付けられている。
【００３９】
例えば、「１」キーには、ユーザＡに発呼する機能（短縮ダイヤル機能）が第１機能として割り付けられ、数字“１”を入力する機能（文字入力機能）が第２機能として割り付けられている。同様に、「２」キーには、ユーザＢに発呼する機能が第１機能として割り付けられ、数字“２”を入力する機能が第２機能として割り付けられている。
【００４０】
なお、第１実施形態では、第１機能は短縮ダイヤル機能であり、第２機能は文字入力機能であるが、これに限定されるものではなく、第１機能及び第２機能は、ユーザの利便性を考慮して変更されてもよい。
【００４１】
（携帯端末の動作）
以下において、上述した携帯端末１００の動作について、図面を参照しながら説明する。図５は、本発明の第１実施形態に係る携帯端末１００の動作を示すフロー図である。
【００４２】
図５に示すように、ステップ１００において、携帯端末１００は、キー３０に対するユーザの接触状態を監視する。
【００４３】
ステップ１１０において、携帯端末１００は、ユーザがキー３０に接触したか否かを判定する。また、携帯端末１００は、ユーザがキー３０に接触している場合には、ステップ１２０の処理に移り、ユーザがキー３０に接触していない場合には、ステップ１３０の処理に移る。
【００４４】
ステップ１２０において、携帯端末１００は、ユーザが継続して同一のキー３０に接触しているか否かを判定する。また、携帯端末１００は、ユーザが継続して同一のキー３０に接触している場合には、ステップ１４０の処理に移り、ユーザが継続して同一のキー３０に接触していない場合には、ステップ１３０の処理に移る。
【００４５】
ステップ１３０において、携帯端末１００は、第１機能又は第２機能に係る説明が表示部２０に表示されている場合には、第１機能又は第２機能に係る説明の表示を終了する。
【００４６】
ステップ１４０において、携帯端末１００は、キー３０の接触時間が所定の判定時間以上であるか否かを判定する。また、携帯端末１００は、接触時間が所定の判定時間以上である場合には、ステップ１７０の処理に移り、接触時間が所定の判定時間未満である場合には、ステップ１５０の処理に移る。
【００４７】
ステップ１５０において、携帯端末１００は、ユーザがキー３０を押下したか否かを判定する。また、携帯端末１００は、ユーザがキー３０を押下した場合には、ステップ１６０の処理に移り、ユーザがキー３０を押下していない場合には、ステップ１００の処理に戻る。
【００４８】
ステップ１６０において、携帯端末１００は、ユーザが押下したキー３０に割り付けられた第２機能を実行する。例えば、携帯端末１００は、ユーザが押下した「１」キーの接触時間が所定の判定時間未満である場合には、「１」キーに割り付けられた第２機能、すなわち、数字“１”を入力する機能を実行する。
【００４９】
ステップ１７０において、携帯端末１００は、ユーザが接触しているキー３０に割り付けられた第１機能に係る説明を表示部２０に表示する。例えば、携帯端末１００は、「１」キーの接触時間が所定の判定時間以上である場合には、「１」キーに割り付けられた第１機能、すなわち、ユーザＡに発呼する機能に係る説明（例えば、ユーザＡの氏名、電話番号及び顔写真など）を表示部２０に表示する。
【００５０】
ステップ１８０において、携帯端末１００は、ユーザがキー３０を押下したか否かを判定する。また、携帯端末１００は、ユーザがキー３０を押下した場合には、ステップ１９０の処理に移り、ユーザがキー３０を押下していない場合には、ステップ１００の処理に戻る。
【００５１】
ステップ１９０において、携帯端末１００は、ユーザが押下したキー３０に割り付けられた第１機能に係る説明の表示を終了する。
【００５２】
ステップ２００において、携帯端末１００は、ユーザが押下したキー３０に割り付けられた第１機能を実行する。例えば、携帯端末１００は、ユーザが押下した「１」キーの接触時間が所定の判定時間以上である場合には、「１」キーに割り付けられた第１機能、すなわち、ユーザＡに発呼する機能を実行する。
【００５３】
（表示画面）
以下において、上述した表示部２０に表示される画面の遷移について、図面を参照しながら説明する。図６〜図８は、本発明の第１実施形態に係る表示部２０に表示される画面を示す図である。
【００５４】
図６は、「５」キーの接触時間が所定の判定時間以上である場合に、表示部２０に表示される画面を示す図である。図６に示すように、表示部２０には、「５」キーに割り付けられた第１機能に係る説明、すなわち、ユーザＥに発呼する機能に係る説明（ユーザＥの名称、電話番号及び顔写真）が表示される。
【００５５】
図７は、図６に示した状態において、ユーザが「５」キーを押下した場合に、表示部２０に表示される画面を示す図である。図７に示すように、「５」キーに割り付けられた第１機能、すなわち、ユーザＥに発呼する機能が実行され、表示部２０には、図６に示した画像が拡大表示される。
【００５６】
図８は、接触時間が所定の判定時間未満である「０」キーをユーザが押下した場合に、表示部２０に表示される画面を示す図である。図８に示すように、「０」キーに割り付けられた第２機能、すなわち、数字“０”を入力する機能が実行され、表示部２０には、数字“０”が表示される。
【００５７】
（作用及び効果）
本発明の第１実施形態に係る携帯端末１００によれば、表示制御部１５が、キー３０の接触時間が所定の判定時間以上である場合に、キー３０に割り付けられた第１機能に係る説明を表示部２０に表示する。すなわち、携帯端末１００は、第１機能に係る説明の出力をキー３０の接触時間に対応させることによって、表示部２０に表示される説明が第１機能に係る説明であることをユーザに容易に把握させることができる。
【００５８】
従って、携帯端末１００は、キー３０のサイズに制約があり、複数の機能がキー３０に割り付けられている場合であっても、ユーザの利便性を向上させることができる。
【００５９】
［第２実施形態］
以下において、本発明の第２実施形態に係る携帯端末について、図面を参照しながら説明する。なお、以下においては、上述した第１実施形態と相違する点について主として説明する。
【００６０】
具体的には、上述した第１実施形態では、ユーザが所定の判定時間以上に亘って継続して同一のキー３０に接触している場合に、そのキー３０に割り付けられた第１機能に係る説明が表示される。
【００６１】
一方、第２実施形態では、ユーザが所定の判定時間以上に亘って継続して一のキー３０に接触した後に、ユーザが他のキー３０に接触した場合には、他のキー３０の接触時間が所定の判定時間未満であっても、他のキー３０に割り付けられた第１機能に係る説明が表示される。
【００６２】
（携帯端末の動作）
以下において、本発明の第２実施形態に係る携帯端末１００の動作について、図面を参照しながら説明する。図９は、本発明の第２実施形態に係る携帯端末１００の動作を示すフロー図である。なお、図９では、図５に示したフロー図と同じ処理について、同一のステップ番号が付与されている。
【００６３】
図９に示すように、ステップ２１０において、携帯端末１００は、長タッチモードに移行する。なお、ステップ２１０の処理は、ステップ１４０でキー３０の接触時間が所定の判定時間以上であると判定された場合に行われる処理である。
【００６４】
ステップ２２０において、携帯端末１００は、長タッチモードを解除する。なお、ステップ２２０の処理は、ステップ１１０でキー３０にユーザが接触していないと判定された場合に行われる処理である。
【００６５】
ステップ２３０において、携帯端末１００は、表示部２０に表示された第１機能に係る説明の表示を終了する。
【００６６】
ステップ２４０において、携帯端末１００は、携帯端末１００が長タッチモードに移行されているか否かを判定する。また、携帯端末１００は、携帯端末１００が長タッチモードに移行されている場合には、ステップ１７０の処理に移り、携帯端末１００が長タッチモードに移行されていない場合には、ステップ１００の処理に戻る。
【００６７】
このように、携帯端末１００は、一のキー３０の接触時間が所定の判定時間以上となった後に、ユーザがいずれかのキー３０に接触しながら他のキー３０に接触した場合に、他のキー３０に割り付けられた第１機能に係る説明を表示する。また、携帯端末１００は、このような状態でユーザが他のキー３０を押下すると、他のキー３０に割り付けられた第１機能を実行する。
【００６８】
すなわち、長タッチモードとは、キー３０の接触時間が所定の判定時間未満であっても、キー３０に割り付けられた第１機能に係る説明が表示され、キー３０に割り付けられた第１機能が実行されるモードである。
【００６９】
（表示画面）
以下において、本発明の第２実施形態に係る表示部２０に表示される画面について、図面を参照しながら説明する。図１０は、本発明の第２実施形態に係る表示部２０に表示される画面を示す図である。
【００７０】
具体的には、図１０は、ユーザが所定の判定時間以上に亘って継続して「１」キーに接触した後に、いずれかのキー３０に接触しながら「２」キーに接触した場合に、表示部２０に表示される画面を示す図である。
【００７１】
図１０に示すように、表示部２０には、「２」キーの接触時間が所定の判定時間未満であっても、「２」キーに割り付けられた第１機能に係る説明、すなわち、ユーザＢに発呼する機能に係る説明（ユーザＥの名称、電話番号及び顔写真）が表示される。
【００７２】
なお、第２実施形態では、長タッチモードは、ステップ１１０でキー３０にユーザが接触していないと判定された場合に解除されるが、これに限定されるものではなく、キー３０にユーザが接触していないと判定されてから所定時間が経過した後に解除されてもよい。
【００７３】
また、第２実施形態では、ユーザが所定の判定時間以上に亘って継続して一のキー３０に接触した後に、ユーザが他のキー３０に接触した場合に、他のキー３０に割り付けられた第１機能に係る説明が一のキー３０に割り付けられた第１機能に係る説明の後にすぐに表示されるが、これに限定されるものではない。例えば、一のキー３０に係る説明が表示された後に、待受け画面が一旦表示されてから、他のキー３０に係る説明が表示されてもよい。
【００７４】
（作用及び効果）
本発明の第２実施形態に係る携帯端末１００によれば、表示制御部１５は、ユーザが所定の判定時間以上に亘って継続して一のキー３０に接触した後に、ユーザが他のキー３０に接触した場合には、他のキー３０の接触時間が所定の判定時間未満であっても、他のキー３０に割り付けられた第１機能に係る説明を表示する。
【００７５】
従って、ユーザが所定時間以上に亘って接触したキー３０に割り付けられた第１機能が所望する機能でない場合であっても、ユーザが接触するキー３０を変えることによって、他の第１機能を容易に探すことができる。
【００７６】
すなわち、携帯端末１００は、ユーザの利便性をさらに向上させることができる。
【００７７】
［第３実施形態］
以下において、本発明の第３実施形態に係る携帯端末について、図面を参照しながら説明する。なお、以下においては、上述した第１実施形態と相違する点について主として説明する。
【００７８】
具体的には、上述した第１実施形態では、キー３０に割り付けられた第１機能に係る説明のみが表示されるが、第３実施形態では、キー３０に割り付けられた第１機能に係る説明に加えて、キー３０に割り付けられた第２機能に係る説明も表示される。
【００７９】
（キー割付情報）
以下において、本発明の第３実施形態に係るキー割付情報について、図面を参照しながら説明する。図１１は、本発明の第３実施形態に係るキー割付情報を示す図である。
【００８０】
図１１に示すように、キー割付情報は、第１実施形態と同様に、キー３０の種類と各キー３０に割り付けられた機能とを対応付ける情報である。また、各キー３０には、キー３０が押下されたときの接触時間が所定の判定時間以上である場合に実行される第１機能と、キー３０が押下されたときの接触時間が所定の判定時間未満である場合に実行される第２機能とが割り付けられている。
【００８１】
例えば、「ソフト（１）」キーには、メール編集画面を呼び出す機能が第１機能として割り付けられ、メニュー画面を呼び出す機能が第２機能として割り付けられている。
【００８２】
（携帯端末の動作）
以下において、本発明の第３実施形態に係る携帯端末１００の動作について、図面を参照しながら説明する。図１２は、本発明の第３実施形態に係る携帯端末１００の動作を示すフロー図である。なお、図１２では、図５に示したフロー図と同じ処理について、同一のステップ番号が付与されている。
【００８３】
図１２に示すように、ステップ３１０において、携帯端末１００は、ユーザが接触しているキー３０に割り付けられた第２機能に係る説明を表示部２０に表示する。例えば、携帯端末１００は、「ソフト（１）」キーの接触時間が所定の判定時間未満である場合には、「ソフト（１）」キーに割り付けられた第２機能、すなわち、メニュー画面を呼び出す機能に係る説明（「メニュー」の文字列）を表示部２０に表示する。なお、ステップ３１０の処理は、ステップ１４０でキー３０の接触時間が所定の判定時間未満であると判定された場合に行われる。
【００８４】
ステップ３２０において、携帯端末１００は、表示部２０に表示された第２機能に係る説明の表示を終了する。なお、ステップ３２０の処理は、ステップ１５０でキー３０が押下されたと判定された場合に行われる。
【００８５】
（表示画面）
以下において、本発明の第３実施形態に係る表示部２０に表示される画面の遷移について、図面を参照しながら説明する。図１３〜図１６は、本発明の第３実施形態に係る表示部２０に表示される画面を示す図である。
【００８６】
図１３は、「ソフト（１）」キーの接触時間が所定の判定時間未満である場合に、表示部２０に表示される画面を示す図である。図１３に示すように、表示部２０には、「ソフト（１）」キーに割り付けられた第２機能に係る説明、すなわち、メニュー画面を呼び出す機能に係る説明（「メニュー」の文字列）が表示される。また、表示部２０には、「決定」キー及び「ソフト（２）」キーに割り付けられた第２機能に係る説明、すなわち、電話帳を呼び出す機能に係る説明（「電話帳」の文字列）及びユーザが設定したショートカット機能が並べられたジャンプ画面を呼び出す機能に係る説明（「ジャンプ」の文字列）も表示される。
【００８７】
図１４は、図１３に示した状態において、ユーザが「ソフト（１）」キーを押下した場合に、表示部２０に表示される画面を示す図である。図１４に示すように、「ソフト（１）」キーに割り付けられた第２機能、すなわち、メニュー画面を呼び出す機能が実行され、表示部２０には、メニュー画面が表示される。
【００８８】
図１５は、「ソフト（１）」キーの接触時間が所定の判定時間以上である場合に、表示部２０に表示される画面を示す図である。図１５に示すように、表示部２０には、「ソフト（１）」キーに割り付けられた第１機能に係る説明、すなわち、メール編集画面を呼び出す機能に係る説明（「メール」の文字列）が表示される。また、表示部２０には、「決定」キー及び「ソフト（２）」キーに割り付けられた第１機能に係る説明、すなわち、電話帳を呼び出す機能に係る説明（「電話帳」の文字列）及びインターネットを利用するための画面を呼び出す機能に係る説明（「インターネット」の文字列）も表示される。
【００８９】
図１６は、図１５に示した状態において、ユーザが「ソフト（１）」キーを押下した場合に、表示部２０に表示される画面を示す図である。図１６に示すように、「ソフト（１）」キーに割り付けられた第１機能、すなわち、メール編集画面を呼び出す機能が実行され、表示部２０には、メール編集画面が表示される。
【００９０】
なお、第３実施形態では、「ソフト（１）」キーの接触時間が所定時間未満である場合に、「ソフト（１）」キーに割り付けられた第２機能に係る説明に加えて、「決定」キー及び「ソフト（２）」キーに割り付けられた第２機能に係る説明も表示されるが、これに限定されるものではなく、「ソフト（１）」キーに割り付けられた第２機能に係る説明のみが表示されてもよい。
【００９１】
（作用及び効果）
本発明の第３実施形態に係る携帯端末１００によれば、表示制御部１５は、キー３０に割り付けられた第１機能に係る説明に加えて、キー３０に割り付けられた第２機能に係る説明も表示部２０に表示する。
【００９２】
すなわち、携帯端末１００は、キー３０の接触時間に応じて、キー３０に割り付けられた複数の機能に係る説明を表示し分けることによって、キー３０に割り付けられた複数の機能をユーザに容易に把握させることができ、誤動作の軽減を図ることができる。
【００９３】
また、携帯端末１００は、キー３０に印字された説明に係る機能とは異なる機能がそのキー３０に割り付けられていても、キー３０に割り付けられた機能をユーザに容易に把握させることができる。
【００９４】
［第４実施形態］
以下において、本発明の第４実施形態に係る携帯端末について、図面を参照しながら説明する。なお、以下においては、上述した第３実施形態と相違する点について主として説明する。
【００９５】
具体的には、上述した第３実施形態では、キー３０の接触時間が所定の判定時間以上である場合に、そのキー３０に割り付けられた第１機能に係る説明のみが表示部２０に表示されるが、第４実施形態では、いずれかのキー３０の接触時間が所定の判定時間以上である場合に、各キー３０にそれぞれ割り付けられた第１機能に係る説明の全てが表示部２０に表示される。
【００９６】
また、第４実施形態では、いずれかのキー３０の接触時間が所定の判定時間未満である場合に、各キー３０にそれぞれ割り付けられた第２機能に係る説明の全てが表示部２０に表示される。
【００９７】
（キー割付情報）
以下において、本発明の第４実施形態に係るキー割付情報について、図面を参照しながら説明する。図１７は、本発明の第４実施形態に係るキー割付情報を示す図である。
【００９８】
図１７に示すように、キー割付情報は、第３実施形態と同様に、キー３０の種類と各キー３０に割り付けられた機能とを対応付ける情報である。また、各キー３０には、キー３０が押下されたときの接触時間が所定の判定時間以上である場合に実行される第１機能と、キー３０が押下されたときの接触時間が所定の判定時間未満である場合に実行される第２機能とが割り付けられている。
【００９９】
例えば、「１」キーには、バーコードリーダを利用するための画面を呼び出す機能が第１機能として割り付けられ、携帯端末１００の設定を変更するためのカスタマイズ画面を呼び出す機能が第２機能として割り付けられている。
【０１００】
（携帯端末の動作）
以下において、本発明の第４実施形態に係る携帯端末１００の動作について、図面を参照しながら説明する。図１８は、本発明の第４実施形態に係る携帯端末１００の動作を示すフロー図である。なお、図１８では、図１２に示したフロー図と同じ処理について、同一のステップ番号が付与されている。
【０１０１】
図１８に示すように、ステップ１７０ａにおいて、携帯端末１００は、各キー３０にそれぞれ割り付けられた第１機能に係る説明の全てを表示部２０に表示する。また、携帯端末１００は、ユーザが接触しているキー３０に割り付けられた第１機能に係る説明をフォーカスして表示部２０に表示する。なお、ステップ１７０ａの処理は、ステップ１４０でいずれかのキー３０の接触時間が所定の判定時間以上であると判定された場合に行われる。
【０１０２】
例えば、携帯端末１００は、「１」キーの接触時間が所定の判定時間以上である場合には、「１」キー〜「９」キーにそれぞれ割り付けられた第１機能に係る説明の全て（第１機能を示すアイコンの全て）を表示部２０に表示する。また、携帯端末１００は、「１」キーに割り付けられた第１機能に係る説明、すなわち、バーコードリーダを利用するための画面を呼び出す機能に係る説明（「バーコードリーダ」の文字列など）をフォーカスして表示する。
【０１０３】
ステップ３１０ａにおいて、携帯端末１００は、各キー３０にそれぞれ割り付けられた第２機能に係る説明の全てを表示部２０に表示する。また、携帯端末１００は、ユーザが接触しているキー３０に割り付けられた第２機能に係る説明をフォーカスして表示部２０に表示する。なお、ステップ３１０ａの処理は、ステップ１４０でいずれかのキー３０の接触時間が所定の判定時間未満であると判定された場合に行われる。
【０１０４】
例えば、携帯端末１００は、「１」キーの接触時間が所定の判定時間未満である場合には、「１」キー〜「９」キーにそれぞれ割り付けられた第２機能に係る説明の全て（第２機能を示すアイコンの全て）を表示部２０に表示する。また、携帯端末１００は、「１」キーに割り付けられた第２機能に係る説明、すなわち、カスタマイズ画面を呼び出す機能に係る説明（「カスタマイズ」の文字列など）をフォーカスして表示する。
【０１０５】
ステップ４１０において、携帯端末１００は、ユーザが接触しているキー３０に割り付けられた機能に係る説明をフォーカスして表示部２０に表示する。具体的には、携帯端末１００は、第１機能に係る説明の全てが表示部２０に表示されている場合には、ユーザが接触しているキー３０に割り付けられた第１機能に係る説明をフォーカスして表示する。一方、携帯端末１００は、第２機能に係る説明の全てが表示部２０に表示されている場合には、ユーザが接触しているキー３０に割り付けられた第２機能に係る説明をフォーカスして表示する。
【０１０６】
（表示画面）
以下において、本発明の第４実施形態に係る表示部２０に表示される画面の遷移について、図面を参照しながら説明する。図１９〜図２４は、本発明の第４実施形態に係る表示部２０に表示される画面を示す図である。
【０１０７】
図１９は、「１」キーの接触時間が所定の判定時間未満である場合に、表示部２０に表示される画面を示す図である。図１９に示すように、表示部２０には、各キー３０にそれぞれ割り付けられている第２機能の係る説明の全てが表示される。また、表示部２０では、ユーザが接触している「１」キーに割り付けられた第２機能に係る説明、すなわち、カスタマイズ画面を呼び出す機能に係る説明（「カスタマイズ」の文字列など）がフォーカスして表示される。
【０１０８】
図２０は、図１９に示した状態において、ユーザがいずれかのキー３０に接触しながら「５」キーに接触した場合に、表示部２０に表示される画面を示す図である。図２０に示すように、表示部２０には、複数のキー３０に割り付けられている第２機能の係る説明の全てが引き続き表示される。また、表示部２０では、ユーザが接触している「５」キーに割り付けられた第２機能に係る説明、すなわち、データＢＯＸを編集するための画面を呼び出す機能に係る説明（「データＢＯＸ」の文字列など）がフォーカスして表示される。
【０１０９】
図２１は、図２０に示した状態において、ユーザが「５」キーを押下した場合に、表示部２０に表示される画面を示す図である。図２１に示すように、ユーザが押下した「５」キーに割り付けられた第２機能、すなわち、データＢＯＸを編集するための画面を呼び出す機能が実行され、表示部２０には、データＢＯＸを編集するための画面が表示される。
【０１１０】
図２２は、「１」キーの接触時間が所定の判定時間以上である場合に、表示部２０に表示される画面を示す図である。図２２に示すように、表示部２０には、各キー３０にそれぞれ割り付けられている第１機能の係る説明の全てが表示される。また、表示部２０では、ユーザが接触している「１」キーに割り付けられた第１機能に係る説明、すなわち、バーコードリーダを利用するための画面を呼び出す機能に係る説明（「バーコードリーダ」の文字列など）がフォーカスして表示される。
【０１１１】
図２３は、図２２に示した状態において、ユーザがいずれかのキー３０に接触しながら「５」キーに接触した場合に、表示部２０に表示される画面を示す図である。図２３に示すように、表示部２０には、複数のキー３０に割り付けられている第１機能の係る説明の全てが引き続き表示される。また、表示部２０では、ユーザが接触している「５」キーに割り付けられた第１機能に係る説明、すなわち、マイピクチャを編集するための画面を呼び出す機能に係る説明（「マイピクチャ」の文字列など）がフォーカスして表示される。
【０１１２】
図２４は、図２３に示した状態において、ユーザが「５」キーを押下した場合に、表示部２０に表示される画面を示す図である。図２４に示すように、ユーザが押下した「５」キーに割り付けられた第１機能、すなわち、マイピクチャを編集するための画面を呼び出す機能が実行され、表示部２０には、マイピクチャを編集するための画面が表示される。
【０１１３】
なお、第４実施形態では、第１機能に係る説明の全てが表示されている場合に、ユーザが接触しているキー３０を一のキー３０から他のキー３０に変えると、他のキー３０に割り付けられた第１機能に係る説明をフォーカスして表示するが、これに限定されるものではない。
【０１１４】
具体的には、ユーザが接触しているキー３０を一のキー３０から他のキー３０に変えると、接触時間をリセットしてもよい。すなわち、第１機能に係る説明の全てが表示されている場合に、ユーザが接触しているキー３０を一のキー３０から他のキー３０に変えると、他のキー３０に割り付けられた第２機能に係る説明をフォーカスして表示してもよい。
【０１１５】
また、第４実施形態では、キー３０の接触時間が所定の判定時間以上である場合には、各キー３０にそれぞれ割り付けられた第１機能に係る説明の全てが表示され、キー３０の接触時間が所定の判定時間未満である場合には、各キー３０にそれぞれ割り付けられた第２機能に係る説明の全てが表示されるが、これに限定されるものではない。
【０１１６】
具体的には、キー３０の接触時間が所定の判定時間以上である場合には、キー３０に割り付けられた第１機能に係る説明の全てが表示され、キー３０の接触時間が所定の判定時間未満である場合には、第２機能に係る説明が表示されなくてもよい。
【０１１７】
（作用及び効果）
本発明の第４実施形態に係る携帯端末１００によれば、表示制御部１５が、いずれかのキー３０の接触時間が所定の判定時間以上である場合に、各キー３０にそれぞれ割り付けられた第１機能に係る説明の全てを表示部２０に表示する。
【０１１８】
従って、ユーザは、各キー３０にそれぞれ割り付けられた第１機能について知識がなくても、所望の第１機能を容易に見つけることができ、携帯端末１００の操作効率が高まる。
【０１１９】
同様に、表示制御部１５が、いずれかのキー３０の接触時間が所定の判定時間未満である場合に、各キー３０にそれぞれ割り付けられた第２機能に係る説明の全てを表示部２０に表示する。
【０１２０】
従って、ユーザは、各キー３０にそれぞれ割り付けられた第２機能について知識がなくても、所望の第２機能を容易に見つけることができ、携帯端末１００の操作効率が高まる。
【０１２１】
［第５実施形態］
以下において、本発明の第５実施形態に係る携帯端末について、図面を参照しながら説明する。なお、以下においては、上述した第４実施形態と相違する点について主として説明する。
【０１２２】
具体的には、上述した第４実施形態では、ユーザが所定の判定時間以上に亘っていずれかのキー３０に接触している場合に、各キー３０にそれぞれ割り付けられた第１機能に係る説明の全てが表示されるが、第５実施形態では、ユーザが所定の判定時間以上に亘って接触しているキー３０に割り付けられた第１機能に係る説明が拡大して表示される。
【０１２３】
（携帯端末の動作）
以下において、本発明の第５実施形態に係る携帯端末１００の動作について、図面を参照しながら説明する。図２５は、本発明の第４実施形態に係る携帯端末１００の動作を示すフロー図である。なお、図２５では、図１８に示したフロー図と同じ処理について、同一のステップ番号が付与されている。
【０１２４】
図２５に示すように、ステップ１７０ｂにおいて、携帯端末１００は、ユーザが接触しているキー３０に割り付けられた第１機能に係る説明を拡大して表示部２０に表示する。なお、ステップ１７０ｂの処理は、ステップ１４０でキー３０の接触時間が所定の判定時間以上であると判定された場合に行われる。
【０１２５】
ステップ４１０ａにおいて、携帯端末１００は、ユーザが接触しているキー３０に割り付けられた機能に係る説明をフォーカス又は拡大して表示部２０に表示する。具体的には、携帯端末１００は、第１機能に係る説明が表示部２０に拡大して表示されている場合には、ユーザが接触していた第１機能にかかる説明の拡大表示を終了するとともに、ユーザが新たに接触しているキー３０に割り付けられた第１機能に係る説明を拡大して表示する。一方、携帯端末１００は、第２機能に係る説明の全てが表示部２０に表示されている場合には、ユーザが接触していた第２機能にかかる説明のフォーカス表示を終了するとともに、ユーザが新たに接触しているキー３０に割り付けられた第２機能に係る説明をフォーカスして表示する。
【０１２６】
（表示画面）
以下において、本発明の第５実施形態に係る表示部２０に表示される画面の遷移について、図面を参照しながら説明する。図２６〜図２８は、本発明の第５実施形態に係る表示部２０に表示される画面を示す図である。
【０１２７】
図２６は、「１」キーの接触時間が所定の判定時間以上である場合に、表示部２０に表示される画面を示す図である。図２６に示すように、表示部２０には、ユーザが接触している「１」キーに割り付けられた第１機能に係る説明、すなわち、バーコードリーダを用いるための画面を呼び出す機能に係る説明（「バーコード」の文字列など）が拡大して表示される。
【０１２８】
図２７は、図２６に示した状態において、ユーザがいずれかのキー３０に接触しながら「９」キーに接触した場合に、表示部２０に表示される画面を示す図である。図２７に示すように、表示部２０には、ユーザが接触している「９」キーに割り付けられた第１機能に係る説明、すなわち、計算機を用いるための画面を呼び出す機能に係る説明（「計算機」の文字列など）が拡大して表示される。
【０１２９】
図２８は、図２７に示した状態において、ユーザが「９」キーを押下した場合に、表示部２０に表示される画面を示す図である。図２８に示すように、ユーザが押下した「９」キーに割り付けられた第１機能、すなわち、計算機を用いるための画面を呼び出す機能が実行され、表示部２０には、計算機を用いるための画面が表示される。
【０１３０】
（作用及び効果）
本発明の第５実施形態に係る携帯端末１００によれば、表示制御部１５が、ユーザが所定の判定時間以上に亘って接触しているキー３０に割り付けられた第１機能に係る説明を表示部２０に拡大して表示する。
【０１３１】
従って、キー３０に割り付けられた第１機能に係る説明の視認性がよくなり、ユーザの利便性が向上する。
【０１３２】
［変更例］
上述した第１実施形態〜第５実施形態では、機能に係る説明は、表示部２０に表示されることによってユーザに通知されるが、これに限定されるものではなく、聴覚や触覚を通じてユーザに通知されてもよい。例えば、機能に係る説明は、音声や点字などの手法によってユーザに通知されてもよい。
【０１３３】
また、第１実施形態〜第５実施形態に係る携帯端末１００の動作をコンピュータに実行させるためのプログラムを提供してもよい。
【０１３４】
さらに、第１実施形態〜第５実施形態では、タッチパッド１０ｂは、ユーザがキー３０に接触したことのみを検出するが、これに限定されるものではなく、ユーザがキー３０に接触したこと及びユーザがキー３０を押下したことを検出してもよい。
【０１３５】
また、第１実施形態〜第５実施形態では、携帯端末１００の動作は、ループ処理となっているが、これに限定されるものではなく、タッチパッド１０ｂによる検出をトリガとする割込み処理であってもよく、ユーザの操作を十分に監視可能な時間間隔で実行されるポーリング処理であってもよい。
【０１３６】
さらに、第１実施形態〜第５実施形態では、ユーザがキー３０を押下している時間（以下、押下時間）については特に触れていないが、キー３０の押下時間に応じて実行される機能を切り替えてもよい。
【０１３７】
具体的には、キー３０の接触時間が所定の判定時間未満であり、第２機能に係る説明が表示されている場合であっても、そのキー３０の押下時間が所定時間以上である場合には、第１機能が実行されてもよい。同様に、キー３０の接触時間が所定の判定時間以上であり、第１機能に係る説明が表示されている場合であっても、そのキー３０の押下時間が所定時間未満である場合には、第２機能が実行されてもよい。
【図面の簡単な説明】
【０１３８】
【図１】本発明の第１実施形態に係る携帯端末１００を示す外観図である。
【図２】本発明の第１実施形態に係る携帯端末１００を示す分解図である。
【図３】本発明の第１実施形態に係る制御基板１０ｃを示すブロック図である。
【図４】本発明の第１実施形態に係るキー割付情報を示す図である。
【図５】本発明の第１実施形態に係る携帯端末１００の動作を示すフロー図である。
【図６】本発明の第１実施形態に係る表示部２０に表示される画面を示す図である（その１）。
【図７】本発明の第１実施形態に係る表示部２０に表示される画面を示す図である（その２）。
【図８】本発明の第１実施形態に係る表示部２０に表示される画面を示す図である（その３）。
【図９】本発明の第２実施形態に係る携帯端末１００の動作を示すフロー図である。
【図１０】本発明の第２実施形態に係る表示部２０に表示される画面を示す図である。
【図１１】本発明の第３実施形態に係るキー割付情報を示す図である。
【図１２】本発明の第３実施形態に係る携帯端末１００の動作を示すフロー図である。
【図１３】本発明の第３実施形態に係る表示部２０に表示される画面を示す図である（その１）。
【図１４】本発明の第３実施形態に係る表示部２０に表示される画面を示す図である（その２）。
【図１５】本発明の第３実施形態に係る表示部２０に表示される画面を示す図である（その３）。
【図１６】本発明の第３実施形態に係る表示部２０に表示される画面を示す図である（その４）。
【図１７】本発明の第４実施形態に係るキー割付情報を示す図である。
【図１８】本発明の第４実施形態に係る携帯端末１００の動作を示すフロー図である。
【図１９】本発明の第４実施形態に係る表示部２０に表示される画面を示す図である（その１）。
【図２０】本発明の第４実施形態に係る表示部２０に表示される画面を示す図である（その２）。
【図２１】本発明の第４実施形態に係る表示部２０に表示される画面を示す図である（その３）。
【図２２】本発明の第４実施形態に係る表示部２０に表示される画面を示す図である（その４）。
【図２３】本発明の第４実施形態に係る表示部２０に表示される画面を示す図である（その５）。
【図２４】本発明の第４実施形態に係る表示部２０に表示される画面を示す図である（その６）。
【図２５】本発明の第５実施形態に係る携帯端末１００の動作を示すフロー図である。
【図２６】本発明の第５実施形態に係る表示部２０に表示される画面を示す図である（その１）。
【図２７】本発明の第５実施形態に係る表示部２０に表示される画面を示す図である（その２）。
【図２８】本発明の第５実施形態に係る表示部２０に表示される画面を示す図である（その３）。
【符号の説明】
【０１３９】
１０・・・本体部、１０ａ・・・キー配置面、１０ｂ・・・タッチパッド、１０ｃ・・・制御基板、１１・・・接触検出インターフェース、１２・・・押下検出インターフェース、１３・・・キー割付情報記憶部、１４・・・制御部、１５・・・表示制御部、２０・・・表示部、３０・・・キー、１００・・・携帯端末
【図１】
0004636980.tif 000002
【図２】
0004636980.tif 000003
【図３】
0004636980.tif 000004
【図４】
0004636980.tif 000005
【図５】
0004636980.tif 000006
【図６】
0004636980.tif 000007
【図７】
0004636980.tif 000008
【図８】
0004636980.tif 000009
【図９】
0004636980.tif 000010
【図１０】
0004636980.tif 000011
【図１１】
0004636980.tif 000012
【図１２】
0004636980.tif 000013
【図１３】
0004636980.tif 000014
【図１４】
0004636980.tif 000015
【図１５】
0004636980.tif 000016
【図１６】
0004636980.tif 000017
【図１７】
0004636980.tif 000018
【図１８】
0004636980.tif 000019
【図１９】
0004636980.tif 000020
【図２０】
0004636980.tif 000021
【図２１】
0004636980.tif 000022
【図２２】
0004636980.tif 000023
【図２３】
0004636980.tif 000024
【図２４】
0004636980.tif 000025
【図２５】
0004636980.tif 000026
【図２６】
0004636980.tif 000027
【図２７】
0004636980.tif 000028
【図２８】
0004636980.tif 000029